(57)【特許請求の範囲】
【請求項１】
支持杆挿入用の筒部を形成すると共に、この筒部の長手方向に帯状部を形成し、この帯状部の長手方向に所定間隔を以て複数の紐状汚水接触材用の係止部を形成した汚水接触材吊りハンガー治具と、複数の紐状汚水接触材と、少なくとも両端が筒状で上記汚水接触材吊りハンガー治具より長い支持杆と、この支持杆の端部に嵌着でき且つ中央に貫通孔を有すると共に貫通孔内壁面に両端方向に貫通する案内溝を形成したキャップ係止具と、このキャップ係止具の貫通孔を貫通でき軸の先端に係止部を有し且つ他端に頭部を有するキャップによって構成された汚水接触材吊りハンガー。
【請求項２】
請求項１に記載の汚水接触材吊りハンガーにおいて、
上記汚水接触材吊りハンガー治具の筒部に支持杆を挿入し、上記筒部から突出した支持杆の両端にキャップ係止具を嵌着し、更にこのキャップ係止具の貫通孔内壁面に形成した案内溝に、キャップ先端の係止部を摺動させながらキャップの軸をキャップ係止具の貫通孔に挿入し、キャップの先端の係止部をキャップ係止具内端面から突出させ、更にこのキャップを少し回して上記キャップの係止部を上記キャップ係止具内端面に係止する構成とされた汚水接触材吊りハンガー。
【請求項３】
請求項１又は２に記載の汚水接触材吊りハンガーにおいて、
前記筒部の横断面形状が瓢箪形に形成されている汚水接触材吊りハンガー。
【発明の詳細な説明】
【０００１】
【発明の属する技術分野】
本発明は、生活排水、公共施設排水、畜産業排水、農業集落排水等の各種の排水を浸漬生物ろ床法によって処理するのに用いられる汚水接触材の吊りハンガーに関する。
【０００２】
【従来の技術】
公共施設排水や食品工場排水等を処理する場合、汚水の処理方法の一つとして処理槽に多数の汚水接触材を吊り下げ、この汚水接触材に細菌類や原生動物、微小後生動物、藻類等の微生物を付着、増殖させて排水を処理する所謂、浸漬生物ろ床法によって汚水処理が行なわれている。
【０００３】
この浸漬生物ろ床法に使用される従来の汚水接触材用ハンガーは、筒状に形成した網状帯体の長手方向に、一定間隔毎に紐状の汚水接触材の端部を縫着して、多数の汚水接触材を吊り下げたものであった。そして使用する場合には、この網状帯体にパイプを挿入し、網状帯体の両端から突出したパイプを架台で支持し、多数の汚水接触材用ハンガーを一定間隔毎に汚水処理槽等に配設して使用されていた。また、上記汚水接触材用ハンガーを設置する時は、上記パイブ等に一端を結び付けた係止紐の他端を、架台等に結び付けて汚水接触材用ハンガーを固定していた。
【０００４】
【発明が解決しようとする課題】
しかしながら、上記のような従来の汚水接触材用ハンガーでは、多数の紐状の汚水接触材の端部を網状帯体に縫着によって取り付けるようにしてあったため、縫着による取付けでは各汚水接触材間の間隔が必ずしも一定しなかった。また、設置する場合に支持杆であるパイプを網状帯体の筒部分に挿入していくことは、途中で引っ掛かったりして、なかなか大変であった。
【０００５】
更に汚水接触材ハンガーに通したパイプは、係止紐で架台等に結んで固定するようにしてあったため、この係止紐が切れたり外れたりして、汚水接触材ハンガーが処理槽内に落下するといった懸念もあった。また汚水接触材ハンガーを交換する場合にも、その都度係止紐を解いて交換作業を行なわねばならず、迅速で安全な作業性の点で問題があった。
【０００６】
本発明は上記のような点に鑑みて開発されたものであり、その目的とするところは、従来のような問題点を解決し、多数の汚水接触材を一定間隔ごとに確実に取付けできると共に、迅速に支持杆の着脱ができ、且つ支持杆が支持架台から外れるといったことのないようにした汚水接触材吊りハンガーを提供することにある。
【０００７】
【課題を解決するための手段】
そこで、本発明は上記目的を達成するために、次のような構成にしてある。すなわち、本発明の請求項１に記載の汚水接触材吊りハンガーは、支持杆挿入用の筒部を形成すると共に、この筒部の長手方向に帯状部を形成し、この帯状部の長手方向に所定間隔を以て複数の紐状汚水接触材用の係止部を形成した汚水接触材吊りハンガー治具と、複数の紐状汚水接触材と、少なくとも両端が筒状で上記汚水接触材吊りハンガー治具より長い支持杆と、この支持杆の端部に嵌着でき且つ中央に貫通孔を有すると共に貫通孔内壁面に両端方向に貫通する案内溝を形成したキャップ係止具と、このキャップ係止具の貫通孔を貫通でき軸の先端に係止部を有し且つ他端に頭部を有するキャップとによって構成されていることを特徴とする。
【０００８】
請求項２に記載の汚水接触材吊りハンガーは、請求項１の構成において、汚水接触材吊りハンガー治具の筒部に支持杆を挿入し、上記筒部から突出した支持杆の両端にキャップ係止具を嵌着し、更にこのキャップ係止具の貫通孔内壁面に形成した案内溝に、キャップ先端の係止部を摺動させながらキャップの軸をキャップ係止具の貫通孔に挿入し、キャップの先端の係止部をキャップ係止具内端面から突出させ、更にこのキャップを少し回して上記キャップの係止部を上記キャップ係止具内端面に係止する構成とされたことを特徴とする。
【０００９】
また、本発明の請求項３に記載の汚水接触材吊りハンガーは、請求項１又は２の構成において、筒部の横断面形状を瓢箪形に形成したことを特徴とする。
【００１０】
【発明の実施の形態】
以下、本発明に係る一実施形態を図１〜図６に基づいて説明する。図１において、汚水接触材吊りハンガー１は、汚水接触材吊りハンガー治具２と、複数の紐状汚水接触材３と、支持杆４と、キャップ係止具５（図５参照）と、キャップ６によって構成されている。
【００１１】
本発明に係る上記汚水接触材吊りハンガー治具２は、図１〜図３及び図７に示すように支持杆挿入用の横断面瓢箪形状の筒部８と、この筒部８の長手方向に一体的に形成した帯状部９と、この帯状部９の長手方向に所定間隔を以て穿設された係止孔１０（係止部）とからなる構成である。
【００１２】
また、上記紐状汚水接触材３は、図１〜図３に示すようにポリ塩化ビニリデン、ビニロン、ポリプロピレン等によって紐状で且つ毛羽立ったように全体形成され、汚水処理を行なうための微生物の付着、増殖をより促進できるように形成されたものである。この紐状汚水接触材３の両端は、所謂紐１１に形成してあり、上記した汚水接触材吊りハンガー治具２の係止孔１０（係止部）にこの紐１１を挿通して屈曲させて、ハンガー治具２に係止すると共にこの屈曲させた紐１１同士をインシュロック１２（簡易締結具）によって縛り、ハンガー治具２の各々係止孔１０に紐状汚水接触材３を取り付けるようにしてある。尚、紐状汚水接触材３の両端にフック（図示省略）を設け、このフックをハンガー治具２の係止孔１０に係止して取り付けるようにしてもよい。
【００１３】
また、上記支持杆４は、図１〜図３に示すように汚水接触材吊りハンガー治具２の長さより少し長いパイプからなり、汚水接触材吊りハンガー治具２の筒部８に着脱自在に挿入できる径のものである。勿論、この支持杆４はパイプに限らず、両端部分が筒状であれば全体が軸部材であってもよい。
【００１４】
また、上記キャップ係止具５は、図５に示すように全体がテーバー状の筒体であり、外周に凹凸１３が形成され、上記支持杆４であるパイプの両部に嵌着できるように形成してある。このキャップ係止具５の中央の貫通孔１４の内壁面１５には、対峙する位置に両端方向に貫通する案内溝１６が形成してある。この案内溝１６は後述するキャップ６の着脱を案内する溝である。
【００１５】
また、上記キャップ６は、図４及び図６に示すように円盤状の頭部１７と軸１８と係止部１９とを一体的に形成したものである。頭部１７は支持杆４であるパイプより大径に形成され、また軸１８はキャップ係止具５よりやや長く形成されると共に、キャップ係止具５の貫通孔１４に挿入できる径にしてある。この軸１８の先端には、円周状の対峙する位置に台形状の係止部１９が、外周方向に突出するように形成してある。この各係止部１９は、キャップ係止具５の各案内溝１６に沿って摺動でき、キャップ６の軸１８に挿入して頭部１７を少し回すことにより、軸１８の先端の係止部１９は、キャップ係止具５の内端面２０に係止できるようになっている。
【００１６】
また、支持架台７は、図２及び図６に示すようにアングル材２１にＵ字部材２２を逆さにして立設したものであり、このＵ字部材２２に支持杆４を挿通してアングル材２１に載置することにより、支持杆４を支持できるようにしてある。勿論、支持杆４の端を支持固定できれば、如何なる構造の支持架台７であってもよい。
【００１７】
上記のような構成の汚水接触材吊りハンガー１にあっては、図１〜図３及び図６に示すように水接触材吊りハンガー治具２の筒部８に支持杆４を挿入し、ハンガー治具２の筒部８から突出した支持杆４の両端を、ハンガー治具２の両端に配設した支持架台７のＵ字部材２２の中に挿入し、この支持杆４の端を各支持架台７のアングル材２１に載置する。
【００１８】
次に上記Ｕ字部材２２から外方に突出した支持杆４内にキャップ係止具５の小径側を支持杆４内側にして嵌着する。更にこのキャップ係止具５の貫通孔内壁面１５に形成した案内溝１６に、キャップ６の先端に形成した係止部１９係合させて摺動させながらキャップ６の軸１６をキャップ係止具５の貫通孔１４に挿入する。そしてキャップ６の先端の係止部１９をキャップ係止具内端面２０から突出させ、更にこのキャップ６の頭部１７を持って少し回し、上記係止部１９をキャップ係止具内端面２０に係止する。このようにして汚水接触材吊りハンガー１を取付け固定する。
【００１９】
また、上記のようにして支持架台７に固定された紐状汚水接触材３を設けた汚水接触材吊りハンガー治具２を交換する場合は、汚水接触材吊りハンガー治具２の筒部８に挿入した支持杆４の両端のキャップ６を少し回し、キャップ６の先端の係止部１９をキャップ係止具５の案内溝１６に位置させ、このキャップ６の頭部１７を持ってキャップ６をキャップ係止具５から引き抜くことにより、支持杆４は上記支持架台７への固定状態が解除される。このようにした後にキャップ係止具５の筒部８から支持杆４と共に紐状汚水接触材３を設けた汚水接触材吊りハンガー治具２を支持架台７から外し、キャップ係止具５の筒部８から支持杆４を引き抜くことにより、簡単に紐状汚水接触材３を設けた汚水接触材吊りハンガー治具２を交換することができる。
【００２０】
【発明の効果】
上記説明でも明らかなように本発明の汚水接触材吊りハンガーでは、各々紐状汚水接触材の端部を、帯状部の長手方向に所定間隔を以て形成した係止部に係止することにより、各々紐状汚水接触材を一定間隔を以てハンガー治具に吊り下げることができる。また、このハンガー治具の筒部にパイプ等の支持杆を挿入し、この支持杆の両端を支持することにより、複数の紐状汚水接触材を吊り下げたハンガー治具を所定の場所に簡単に設置することができる。また、筒部の断面形状を瓢箪形とすることもできる。
【００２１】
従って、帯状部の長手方向に所定間隔を以て形成した複数の係止部に、各紐状汚水接触材を吊り下げ係止することにより、従来のように紐状汚水接触材を縫製によって取付けたものに比べ、紐状汚水接触材を確実に一定間隔で以て吊り下げることができる。また、汚水接触材吊りハンガー治具には支持杆を容易に挿入できる筒部を形成してあり、簡単に支持杆をこの筒部に通すことができる。
【００２２】
また、複数の紐状汚水接触材を所定間隔を以て簡単に汚水接触材吊りハンガー治具に係止でき、また支持杆もハンガー治具に形成した筒部に容易に挿入できる。更にこの支持杆の両端に嵌着したキャップ係止具にキャップを取り付けて、支持架台にこの支持杆の両端を支持させることにより、キャップがストッパーとなって支持杆が支持架台から外れ落ちるのを防止できる。また、このキャップを少し回し、キャップの軸の先端に形成した係止部をキャップ係止具の案内溝の位置に合わせ、このキャップをキャップ係止具から抜くことにより、支持架台から支持杆を容易に外すことができる。
【００２３】
また、複数の紐状汚水接触材を所定間隔を以て簡単に汚水接触材吊りハンガー治具に確実に係止できる。また支持杆もハンガー治具の筒部に容易に挿入できる。更にこの支持杆の両端に嵌着したキャップ係止具にキャップを取り付けて、支持架台にこの支持杆の両端を支持させることによりキャップがストッパーとなり、支持杆が支持架台から抜けて、汚水接触材吊りハンガー治具と共に多数の汚水接触材が落下するといったことを確実に防止することができる。更にキャップ係止具を介してキャップを支持杆に着脱できるので、支持杆を支持架台に固定したり、外したりすることが容易にできる。
【図面の簡単な説明】
【図１】一実施例の汚水接触材用ハンガーの斜視図である。
【図２】汚水接触材用ハンガーの取付け状態を示す部分斜視図である。
【図３】汚水接触材用ハンガーの取付け状態を示す縦断面説明図である。
【図４】一実施例のキャップの斜視図である。
【図５】一実施例のキャップ係止具の斜視図である。
【図６】一実施例の汚水接触材用ハンガーの上部縦断面図である。
【図７】一実施例の汚水接触材吊りハンガー治具の断面図である。
【符号の説明】
１               汚水接触材吊りハンガー
２               汚水接触材吊りハンガー治具
３               紐状汚水接触材
４               支持杆
５               キャップ係止具
６               キャップ
７               支持架台
８               筒部
９               帯状部
１０             係止孔（係止部）
１４             貫通孔
１５             内壁面
１６             案内溝
１７             頭部
１８             軸
１９             係止部
２０             内端面
【図１】
0003724746.tif 000002
【図２】
0003724746.tif 000003
【図３】
0003724746.tif 000004
【図４】
0003724746.tif 000005
【図５】
0003724746.tif 000006
【図６】
0003724746.tif 000007
【図７】
0003724746.tif 000008